(57)【要約】  本発明は、洗濯機の電力消費量に対する監視測定方法を提供している。洗濯機が洗濯プログラムを実行し、衣類負荷量ｍを測定することと；洗濯機が洗濯を完了した後、モータの動作時間ｔ１を取得することと；洗濯機が、公式Ｗ＝Ｗモータ＋Ｗ０に基づいて、洗濯機の電力消費量を計算することとを含む。式中、Ｗモータ＝ｋ×Ｐ１×ｔ１、ｋは修正係数、ｋ∝ｍ、Ｐ１はモータの定格出力であり；Ｗ０は洗濯機の電子部品の所定値である。本発明における洗濯機の電力消費量に対する監視測定は、主に洗濯過程における主要な動作装置であるモータの電力消費量を監視測定する。洗濯機の動作過程における特徴を組み合わせて、モータの電力消費量を計算する公式を提供し、さらにモータの動作に影響を及ぼす主な要素を考慮し、これを修正して、より正確な計算結果を取得する。したがって、本発明の電力消費量の計算方法で、モータの電力消費量を計算した結果は比較的正確であり、洗濯機の電力消費量に対する計算が誤差の許容範囲内にあることを根本的に保証している。【選択図】図２
2019503807.tif 000002
【特許請求の範囲】
【請求項１】
洗濯機の電力消費量に対する監視測定方法であって、
洗濯機が洗濯プログラムを実行し、衣類負荷量ｍを測定することと；
洗濯機が洗濯を完了した後、モータの動作時間ｔ１を取得することと；
洗濯機が公式Ｗ＝Ｗモータ＋Ｗ０に基づいて、洗濯機の電力消費量を計算することと；を含み、
式中、Ｗモータ＝ｋ×Ｐ１×ｔ１、ｋは修正係数、ｋ∝ｍ、Ｐ１はモータの定格出力であり；Ｗ０は洗濯機の電子部品の所定値であることを特徴とする方法。
【請求項２】
前記洗濯機のモータの定格出力Ｐ１での動作時に対応する定格衣類負荷量をｍ０とし、定格衣類負荷量をｍ０として、洗濯機の制御プログラム中に予め設定し、前記ｋ＝ｍ／ｍ０であることを特徴とする、請求項１に記載の洗濯機の電力消費量に対する監視測定方法。
【請求項３】
前記修正係数ｋ値の範囲はｋ０≦ｋ≦１であり、洗濯機が無負荷のとき、前記修正係数ｋ＝ｋ０であり、洗濯機が全負荷または過負荷のとき、前記修正係数ｋ＝１である；
前記洗濯機の制御システムに、一連のｋ０≦ｋ１、ｋ２、ｋ３、ｋ４……≦１を予め設定し、ｋ１、ｋ２、ｋ３、ｋ４……はそれぞれ異なる衣類負荷範囲に対応し、測定した衣類負荷量ｍが相応する衣類負荷範囲内にあるとき、ｋはｋ１、ｋ２、ｋ３、ｋ４……から対応する値が選択されることを特徴とする、請求項１に記載の洗濯機の電力消費量に対する監視測定方法。
【請求項４】
前記洗濯機の最大負荷量はｍ０’であり、ｍ≦１／４ｍ０’のとき、ｋ値の範囲は０．３〜０．４、１／４ｍ０’≦ｍ≦ｍ０’のとき、ｋ値の範囲は０．５〜１．０である；
好ましくは、ｍ≦１／４ｍ０’のとき、ｋ値の範囲は０．３〜０．４、１／４ｍ０’≦ｍ≦１／２ｍ０’のとき、ｋ値の範囲は０．５〜０．６、１／２ｍ０’≦ｍ≦３／４ｍ０’のとき、ｋ値の範囲は０．７〜０．８、３／４ｍ０’≦ｍ≦ｍ０’のとき、ｋ値の範囲は０．９〜１であることを特徴とする、請求項１または３に記載の洗濯機の電力消費量に対する監視測定方法。
【請求項５】
前記モータは計時モジュールを含み、計時モジュールはモータにおける洗濯過程の動作時間ｔ１１、すすぎ過程の動作時間ｔ１２、脱水過程の動作時間ｔ１３をそれぞれ記録し、洗濯機は公式ｔ１＝ｔ１１＋ｔ１２＋ｔ１３に基づいて、モータの動作時間ｔ１を計算して取得することを特徴とする、請求項１〜４のいずれか１項に記載の洗濯機の電力消費量に対する監視測定方法。
【請求項６】
前記洗濯機は洗濯水を加熱する加熱装置を含み、加熱装置の定格出力はＰ２であり、洗濯機の洗濯完了と同時に、加熱装置の動作時間ｔ２を取得し、洗濯機は公式Ｗ＝Ｗモータ＋Ｗ加熱＋Ｗ０に基づいて、洗濯機の電力消費量を計算する；
式中、Ｗ加熱＝Ｐ２×ｔ２であることを特徴とする、請求項１〜５のいずれか１項に記載の洗濯機の電力消費量に対する監視測定方法。
【請求項７】
前記Ｗ０＝Ｗ０１＋Ｗ０２＋Ｗ０３＋……であり、前記Ｗ０１、Ｗ０２、Ｗ０３……は、それぞれ洗濯機の洗濯過程において電力消費量が一定である電子部品の電力消費量であり、洗濯機の電子部品の具体的な構成に基づいて、予め設定することができることを特徴とする、請求項１〜６のいずれか１項に記載の洗濯機の電力消費量に対する監視測定方法。
【請求項８】
前記Ｗ０は、制御モジュールの電力消費量Ｗ０１、表示モジュールの電力消費量Ｗ０２、弁体アセンブリＷ０３、およびポンプ体アセンブリＷ０３を少なくとも含むことを特徴とする、請求項７に記載の洗濯機の電力消費量に対する監視測定方法。
【請求項９】
請求項１〜８のいずれか１項に記載の洗濯機の電力消費量に対する監視測定方法を採用した洗濯機であって、前記洗濯機がモータ、その他電子部品、および計時モジュールを含み、前記計時モジュールはモータの動作時間を記録し、洗濯機は計時モジュールが記録した時間を取得して、公式Ｗ＝Ｗモータ＋Ｗ０に基づいて、洗濯機の電力消費量を計算する；
式中、Ｗモータ＝ｋ×Ｐ１×ｔ１、ｋは修正係数、ｋ∝ｍ、Ｐ１はモータの定格出力であり；Ｗ０は洗濯機の電子部品の所定値であることを特徴とする洗濯機。
【請求項１０】
請求項９に記載の洗濯機を有する洗濯機システムであって、前記洗濯機は、クラウドプラットフォームサーバを介してインテリジェント端末と通信接続する；
洗濯機が洗濯プログラムを実行し、洗濯の動作時間に基づいて、当該回の洗濯の電力消費量を算出する；
洗濯機が、算出した電力消費量をクラウドプラットフォームサーバに送信する；
クラウドプラットフォームサーバが、電力消費量を相応するインテリジェント端末にプッシュすることを特徴とする洗濯機システム。
【発明の詳細な説明】
【技術分野】
【０００１】
本発明は、洗濯機の水消費、電力消費に対する測定技術分野に関し、具体的に、洗濯機の電力消費量に対する監視測定方法、洗濯機、および洗濯機システムに関する。
【背景技術】
【０００２】
既存のドラム式洗濯機および全自動洗濯機は、いずれも洗濯の電力消費量に対する測定手段を備えておらず、ユーザはある洗濯プログラムを使用して洗濯を終了しても、当該回の洗濯の電力消費量を知ることはできない。ユーザの洗濯機に対する理解は、依然として元からある洗濯時間、洗濯プログラム、洗濯の水温、洗濯水位などの状態に留まっている。ユーザがより深く洗濯機を理解するのを助け、ユーザの節電習慣を養うため、洗濯機に洗濯の電力消費量に対する測定手段を追加することは必要である。
【０００３】
洗濯機の電力消費量に対する測定について、従来の方法は、主に電気量測定装置などにより、洗濯機の電力消費量を測定する。このような方式は、洗濯機の電力使用量をより精確に測定することができるが、洗濯機自体に相応するハードウェア装置および関連回路を余分に追加しなければ、相応する需要を満たすことができない。洗濯機自体に比較的大きなコスト増加を引き起こし、ユーザ体験および洗濯機のコスト増加の面から考慮すると、そのコストパフォーマンスは比較的低い。
【０００４】
他に、出願番号が第２０１５１０４７５５６５．ｘ号、名称が洗濯機の電力消費量に対する監視測定方法、洗濯機、および洗濯機システムである既存の中国特許発明において、該発明は洗濯機の電力消費量に対する監視測定方法を開示している。該監視測定方法は、洗濯機が洗濯プログラムを終了した後、当該回の洗濯の電力消費量を計算して取得する工程と；洗濯機が電力消費量をモバイル端末に送信する工程と；モバイル端末が電力消費量をユーザに提供する工程とを含む。該電力消費量の監視測定方法は、各回の洗濯の電力消費量を速やかにユーザに提供することができ、一層インテリジェント化されている。該発明は、洗濯機および洗濯機システムも開示している。さらに、該発明において、具体的に、以下の公式に基づいた前記電力消費量の計算を開示している；
Ｔ＝（ＦＹ×Ｋ１＋Ｋ２）×Ｔｕｂ×ＴｕｂＴｉｍｅ＋ＨｅａｔＴｉｍｅ×１６４７＋ＳｐｉｎＴｉｍｅ×４０×ＳｐｉｎＲｅｔｒｙＴｉｍｅ、式中、Ｔは電力消費量、ＦＹは取水量、Ｋ１およびＫ２は修正パラメータ、Ｔｕｂは前記モータの回転停止比、ＴｕｂＴｉｍｅは本洗い時間、ＨｅａｔＴｉｍｅは加熱時間、ＳｐｉｎＴｉｍｅは脱水時間、ＳｐｉｎＲｅｔｒｙＴｉｍｅｓは脱水を試みた回数である。該発明が開示する電力消費量の計算方法は、既存技術における電気量測定装置を設置して電力消費量を測定する問題を解決したが、以下の問題がやはり存在している。
（１）上記の電力消費量に対する計算の公式から、電力消費量の計算が取水量と関係し、取水量の測定は電力消費量の計算の正確さに直接関係することがわかる。したがって、電力消費量の計算精度は有効な保証を得ることができない。
【０００５】
（２）取水量の測定の正確さを保証するため、取水測定装置が必要であり、洗濯機の製造コストが増加し、市場での普及に不利である。
【０００６】
このことを考慮して、特に本発明を示す。
【先行技術文献】
【特許文献】
【０００７】
【特許文献１】中国特許出願番号第２０１５１０４７５５６５．ｘ号明細書
【発明の概要】
【発明が解決しようとする課題】
【０００８】
上記問題を解決するため、本発明における第１の発明の目的は、洗濯機の電力消費量に対する測定方法を提供することである。具体的に、以下の技術案を採用している。
洗濯機の電力消費量に対する監視測定方法は、
洗濯機が洗濯プログラムを実行し、衣類負荷量ｍを測定することと；
洗濯機が洗濯を完了した後、モータの動作時間ｔ１を取得することと；
洗濯機が公式Ｗ＝Ｗモータ＋Ｗ０に基づいて、洗濯機の電力消費量を計算することと；を含む。
式中、Ｗモータ＝ｋ×Ｐ１×ｔ１、ｋは修正係数、ｋ∝ｍ、Ｐ１はモータの定格出力であり；Ｗ０は洗濯機の電子部品の所定値である。
【０００９】
本発明の好ましい実施方式として、前記洗濯機のモータの定格出力Ｐ１での動作時に対応する定格衣類負荷量をｍ０とする。定格衣類負荷量をｍ０として、洗濯機の制御プログラム中に予め設定し、前記ｋ＝ｍ／ｍ０である。
【００１０】
本発明の好ましい実施方式として、前記修正係数ｋ値の範囲はｋ０≦ｋ≦１である。洗濯機が無負荷のとき、前記修正係数ｋ＝ｋ０であり、洗濯機が全負荷または過負荷のとき、前記修正係数ｋ＝１である。
前記洗濯機の制御システムに、一連のｋ０≦ｋ１、ｋ２、ｋ３、ｋ４……≦１を予め設定する。ｋ１、ｋ２、ｋ３、ｋ４……はそれぞれ異なる衣類負荷範囲に対応し、測定した衣類負荷量ｍが相応する衣類負荷範囲内にあるとき、ｋはｋ１、ｋ２、ｋ３、ｋ４……から対応する値が選択される。
【００１１】
さらに、前記洗濯機の最大負荷量はｍ０’であり、ｍ≦１／４ｍ０’のとき、ｋ値の範囲は０．３〜０．４、１／４ｍ０’≦ｍ≦ｍ０’のとき、ｋ値の範囲は０．５〜１．０である。
好ましくは、ｍ≦１／４ｍ０’のとき、ｋ値の範囲は０．３〜０．４、１／４ｍ０’≦ｍ≦１／２ｍ０’のとき、ｋ値の範囲は０．５〜０．６、１／２ｍ０’≦ｍ≦３／４ｍ０’のとき、ｋ値の範囲は０．７〜０．８、３／４ｍ０’≦ｍ≦ｍ０’のとき、ｋ値の範囲は０．９〜１である。
【００１２】
さらに、前記モータは計時モジュールを含み、計時モジュールはモータにおける洗濯過程の動作時間ｔ１１、すすぎ過程の動作時間ｔ１２、脱水過程の動作時間ｔ１３をそれぞれ記録する。洗濯機は公式ｔ１＝ｔ１１＋ｔ１２＋ｔ１３に基づいて、モータの動作時間ｔ１を計算して取得する。
【００１３】
本発明の好ましい実施方式として、前記洗濯機は洗濯水を加熱する加熱装置を含み、加熱装置の定格出力はＰ２である。洗濯機の洗濯完了と同時に、加熱装置の動作時間ｔ２を取得し、洗濯機は公式Ｗ＝Ｗモータ＋Ｗ加熱＋Ｗ０に基づいて、洗濯機の電力消費量を計算する；
式中、Ｗ加熱＝Ｐ２×ｔ２である。
【００１４】
さらに、前記Ｗ０＝Ｗ０１＋Ｗ０２＋Ｗ０３＋……であり、前記Ｗ０１、Ｗ０２、Ｗ０３……は、それぞれ洗濯機の洗濯過程において電力消費量が一定である電子部品の電力消費量であり、洗濯機の電子部品の具体的な構成に基づいて、予め設定することができる。
【００１５】
さらに、前記Ｗ０は、制御モジュールの電力消費量Ｗ０１、表示モジュールの電力消費量Ｗ０２、弁体アセンブリＷ０３、およびポンプ体アセンブリＷ０３を少なくとも含む。
【００１６】
本発明における第２の発明の目的は、前記洗濯機の電力消費量に対する監視測定方法を採用した洗濯機を提供することである。前記洗濯機はモータ、その他電子部品、および計時モジュールを含み、前記計時モジュールはモータの動作時間を記録する。洗濯機は計時モジュールが記録した時間を取得して、公式Ｗ＝Ｗモータ＋Ｗ０に基づいて、洗濯機の電力消費量を計算する。
式中、Ｗモータ＝ｋ×Ｐ１×ｔ１、ｋは修正係数、ｋ∝ｍ、Ｐ１はモータの定格出力であり；Ｗ０は洗濯機の電子部品の所定値である。
【００１７】
本発明における第３の発明の目的は、前記洗濯機を有する洗濯機システムを提供することである。前記洗濯機は、クラウドプラットフォームサーバを介してインテリジェント端末と通信接続する。
洗濯機が洗濯プログラムを実行し、洗濯の取水時間および／または洗濯の動作時間に基づいて、当該回の洗濯の水消費量および／または電力消費量を算出する。
洗濯機が、算出した水消費量および／または電力消費量をクラウドプラットフォームサーバに送信する。
クラウドプラットフォームサーバが、水消費量および／または電力消費量を相応するインテリジェント端末にプッシュする。
【００１８】
本発明における洗濯機の電力消費量に対する監視測定方法は、コストが増加しない面から考慮し、相応する計算方法を主として、洗濯機の動作過程における動作装置の電力消費量を分析し、洗濯機特有の洗濯工程に基づいて、洗濯機の電力消費量を計算する。実験、検証に基づくと、洗濯機の電力消費量に対する計算結果は、電気量測定装置で測定したデータと基本的に一致する。最終的にコストが上昇しない前提で、洗濯機の電力消費量の正確な測定を実現している。さらに算出した電力消費量をユーザに示し、ユーザは電力消費量情報を直接見て取得する。良好な洗濯機の使用習慣を養い、電気エネルギーを節約するのに便利である。
【００１９】
本発明における洗濯機の電力消費量に対する監視測定は、主に洗濯過程における主要な動作装置であるモータの電力消費量を監視測定する。洗濯機の動作過程における特徴を組み合わせて、モータの電力消費量を計算する公式を提供し、さらにモータの動作に影響を及ぼす主な要素を考慮し、これを修正して、より正確な計算結果を取得する。したがって、本発明の電力消費量の計算方法で、モータの電力消費量を計算した結果は比較的正確であり、洗濯機の電力消費量に対する計算が誤差の許容範囲内にあることを根本的に保証している。
【００２０】
他に、本発明における洗濯機の電力消費量に対する監視測定方法は、洗濯過程においてその他電子部品の電力消費量が相対的に一定であることを考慮する。したがって、試験により該部分の電力消費量を取得し、洗濯機の制御システム中に予め設定して書き込み、本発明の計算方法がより精確であることを確実に保証する。
【００２１】
さらに、加熱機能を有する洗濯機について、加熱装置の動作時の電力消費量が大きい問題を考慮する。加熱装置の電力消費量を単独で監視測定し、加熱機能を有する洗濯機の電力消費量に対する計算の正確性を保証している。
【００２２】
したがって、本発明における洗濯機の電力消費量に対する監視測定方法は、洗濯機の洗濯過程に基づいて、電力消費量に影響を及ぼす各種要素を充分に考慮することを基に、比較的正確で、信頼できる計算方法を提供する。ユーザに比較的精確な洗濯機の電力消費量値を提供し、ユーザは参考とすることができる。
【図面の簡単な説明】
【００２３】
【図１】図１は、本発明の実施例における洗濯機の電力消費量に対する監視測定方法のフローチャートである。
【図２】図２は、本発明の実施例における洗濯機の電力消費量に対する監視測定方法のフローチャートである。
【発明を実施するための形態】
【００２４】
以下、図を組み合わせて、本発明における洗濯機の電力消費量に対する監視測定方法、洗濯機、および洗濯機システムを詳細に説明する。
洗濯機の電力消費量に対する監視測定方法は、
洗濯機が洗濯プログラムを実行し、衣類負荷量ｍを測定することと；
洗濯機が洗濯を完了した後、モータの動作時間ｔ１を取得することと；
洗濯機が公式Ｗ＝Ｗモータ＋Ｗ０に基づいて、洗濯機の電力消費量を計算することと；を含む。
式中、Ｗモータ＝ｋ×Ｐ１×ｔ１、ｋは修正係数、ｋ∝ｍ、Ｐ１はモータの定格出力であり；Ｗ０は洗濯機の電子部品の所定値である。
【００２５】
既存の洗濯機の動作過程は、一般的に洗濯−すすぎ−脱水であり、洗濯プログラムおよびすすぎプログラム中に、取水、脱水および排水の過程を有する。ユーザは一般的に、洗濯方式を設定するか、または洗濯時間を変更することにより、洗濯機を制御して相応する洗濯プログラムを実行する。全洗濯過程において、モータが主要な動作素子であり、電力消費量が比較的大きいため、モータの電力消費量を主な監視測定の対象とする。モータの電力消費量に対する監視測定の正確さを確実に保証すれば、洗濯機の全電力消費量に対する監視測定の正確さを確実に保証することができる。
【００２６】
モータの電力消費量に対する監視測定の正確さを確実に保証するため、モータの動作方式を分析することにより、電力消費量の公式Ｗ＝Ｐｔから、出力および動作の時間を知れば、電力消費量を計算することができることがわかる。モータは一般的に確定された定格出力Ｐ１を有するため、理論的にモータの動作時間を取得すれば、モータの電力消費量を計算することができる。しかし、実際の動作状況において、毎回の洗濯における洗濯機の衣類負荷量ｍは完全に同じではなく、定格出力に対応する衣類負荷量ｍに達するのもより不可能である。これにより、モータは必ずしも定格出力Ｐ１で動作するのではないため、依然として定格出力Ｐ１で計算した場合、その結果の誤差は必然的に増大する。
【００２７】
モータの電力消費量に対する計算の正確性を保証するため、本発明は洗濯機の実際の衣類負荷量ｍに基づいて、１つの修正係数ｋを確定し、モータの定格出力Ｐ１を修正して、実際のモータの出力ｋＰ１を得る。さらにモータの動作時間ｔ１を取得し、公式Ｗモータ＝ｋ×Ｐ１×ｔ１により、モータの実際の電力消費量Ｗモータを算出することができる。したがって、本発明における洗濯機の電力消費量に対する計算方法は、洗濯機の実際の動作状況を分析することにより、モータの定格出力を修正して、実出力を算出し、計算した実出力に基づいて、モータの電力消費量をさらに計算する。本発明における洗濯機の電力消費量に対する監視測定方法により、モータの電力消費量に対する計算の正確性を確実に保証する。
【００２８】
したがって、本実施例における洗濯機の電力消費量に対する監視測定は、主に洗濯過程における主要な動作装置であるモータの電力消費量を監視測定する。洗濯機の動作過程における特徴を組み合わせて、モータの電力消費量を計算する公式を提供し、さらにモータの動作に影響を及ぼす主な要素を考慮し、これを修正して、より正確な計算結果を取得する。したがって、本実施例の電力消費量の計算方法で、モータの電力消費量を計算した結果は比較的正確であり、洗濯機の電力消費量に対する計算が誤差の許容範囲内にあることを根本的に保証している。
【００２９】
上記から、モータの電力消費量を計算するとき、修正係数ｋは算出したモータの実出力が正確であるかどうかに関係し、修正係数ｋの値は実際の衣類負荷量ｍによって決まることがわかる。
【００３０】
本発明の好ましい実施方式として、前記洗濯機のモータの定格出力Ｐ１での動作時に対応する定格衣類負荷量をｍ０とする。定格衣類負荷量をｍ０として、洗濯機の制御プログラムに予め設定し、前記ｋ＝ｍ／ｍ０である。
【００３１】
本実施例の定格衣類負荷量ｍ０は、研究室で測定することができ、その後、定格衣類負荷量をｍ０として、洗濯機の制御プログラム中に予め設定する。実際の洗濯過程において、一定の方式により実際の衣類負荷量ｍを測定し、両者を比較すると、修正係数ｋを得ることができる。他に、既存の洗濯機は一般的に秤量の機能を有し、これにより実際の衣類負荷量ｍを測定すればよい。
【００３２】
本実施例は、モータが動作するときの実際の動作状況に基づいて、洗濯機の実出力の計算公式を確定し、該計算公式を洗濯機の制御プログラムに書き込むことにより、洗濯機が計算により電力消費量を得ることを実現している。
【００３３】
本発明の好ましい実施方式として、修正係数ｋ値の範囲はｋ０≦ｋ≦１である。洗濯機が無負荷のとき、前記修正係数ｋ＝ｋ０であり、洗濯機が全負荷または過負荷のとき、前記修正係数ｋ＝１である。
前記洗濯機の制御システムに、一連のｋ０≦ｋ１、ｋ２、ｋ３、ｋ４……≦１を予め設定する。ｋ１、ｋ２、ｋ３、ｋ４……はそれぞれ異なる衣類負荷範囲に対応し、測定した衣類負荷量ｍが相応する衣類負荷範囲内にあるとき、ｋはｋ１、ｋ２、ｋ３、ｋ４……から対応する値が選択される。
【００３４】
本実施例は、修正係数ｋを確定する作表法も提供している。実際の動作状況において、モータの実出力の変化も１つの量的変化の過程である。すなわち衣類負荷量ｍは一定範囲内で増加または減少し、洗濯機の実出力の変化が過度に大きくなることはないため、誤差の許容範囲内にある。研究室での大量の試験により、一連の修正係数ｋ１、ｋ２、ｋ３、ｋ４……を得ることができ、各修正係数は１つの衣類負荷量ｍの範囲に対応する。修正係数ｋ１、ｋ２、ｋ３、ｋ４……と、それぞれ対応する衣類負荷量ｍとの表を洗濯機の制御プログラム中に書き込み、実際の衣類負荷量ｍを測定すると、すぐに確定された修正係数が選択され、これによりモータの電力消費量を計算することができる。他に、既存の洗濯機は一般的に秤量の機能を有し、これにより実際の衣類負荷量ｍを測定すればよい。
【００３５】
修正係数ｋ１、ｋ２、ｋ３、ｋ４……については、洗濯機の様々な型、様々な容量に基づいて、工場出荷前に研究室で取得し、洗濯機の制御プログラム中に書き込むことができる。
【００３６】
具体的に、本実施例は修正係数ｋの対応、選択方式を提供する。洗濯機の最大負荷量はｍ０’であり、ｍ≦１／４ｍ０’のとき、ｋ値の範囲は０．３〜０．４、１／４ｍ０’≦ｍ≦ｍ０’のとき、ｋ値の範囲は０．５〜１．０である。すなわち洗濯機の衣類負荷ｍを一般的に軽負荷および重負荷に分ける。
【００３７】
原則的に、洗濯機の衣類負荷の区間を細かく区分するほど、修正係数ｋ値もより精確である。実際の動作状況において、衣類負荷の区間を過度に小さく区分すると、計算して取得したモータの電力消費量と、電気量測定装置で測定した電力消費量との差は大きくなく、一般的に、差が１度に達しない状況では、誤差が許容範囲内にあると見なすことができる。具体的に、ｍ≦１／４ｍ０’のとき、ｋ値の範囲は０．３〜０．４、１／４ｍ０’≦ｍ≦１／２ｍ０’のとき、ｋ値の範囲は０．５〜０．６、１／２ｍ０’≦ｍ≦３／４ｍ０’のとき、ｋ値の範囲は０．７〜０．８、３／４ｍ０’≦ｍ≦ｍ０’のとき、ｋ値の範囲は０．９〜１である。本実施例で示す上記区分した区間は、既存の大部分の洗濯機の誤差に対する要求を満たすことができる。本発明は上記区分に制限されず、洗濯機自体の容量によって決定する必要もあることを当業者は理解しなければならない。
【００３８】
洗濯機のモータの動作時間を取得するため、本実施例に記載するモータは計時モジュールを含む。計時モジュールはモータが動作状態にあるかどうかを監視測定し、モータの動作時に、その動作時間を記録する。
【００３９】
具体的に、計時モジュールは、モータにおける洗濯過程の動作時間ｔ１１、すすぎ過程の動作時間ｔ１２、脱水過程の動作時間ｔ１３をそれぞれ記録する。洗濯機は公式ｔ１＝ｔ１１＋ｔ１２＋ｔ１３に基づいて、モータの動作時間ｔ１を計算して取得する。
【００４０】
本発明の好ましい実施方式として、加熱機能を有する洗濯機について、洗濯機は洗濯水を加熱する加熱装置を含み、加熱装置の定格出力はＰ２である。洗濯機の洗濯完了と同時に、加熱装置の動作時間ｔ２を取得し、洗濯機は公式Ｗ＝Ｗモータ＋Ｗ加熱＋Ｗ０に基づいて、洗濯機の電力消費量を計算する；式中、Ｗ加熱＝Ｐ２×ｔ２である。
【００４１】
加熱機能を有する洗濯機について、加熱装置の電力消費量も、洗濯機の総電力消費量に対する割合が高いため、加熱装置の電力消費量を単独で計算する必要があり、これにより計算した洗濯機の電力消費量はより正確である。
【００４２】
水加熱の公式Ｑ＝ｃｍΔｔから、加熱装置の電力消費量が取水の初期温度から受ける影響は大きいことがわかる。加熱装置は一般的に純抵抗回路であるため、本発明は加熱装置の動作時間ｔ２を監視測定すれば、公式Ｗ加熱＝Ｐ２×ｔ２に基づいて、加熱装置の電力消費量を算出することができる。
【００４３】
具体的に、本実施例に記載する加熱装置は加熱管である。加熱管はＮ個含み、前記Ｗ加熱＝Ｎ×Ｐ２×ｔ２である。
【００４４】
本実施例のＷ０＝Ｗ０１＋Ｗ０２＋Ｗ０３＋……であり、前記Ｗ０１、Ｗ０２、Ｗ０３……は、それぞれ洗濯機の洗濯過程において電力消費量が一定である電子部品の電力消費量であり、洗濯機の電子部品の具体的な構成に基づいて、予め設定することができる。洗濯機はその他電力消費モジュール、例えばディスプレイ、取水弁、排水ポンプなどの電力消費デバイスをさらに有し、これらの電力消費デバイスは一定の電力消費量Ｗ０で示すことができる。このように、計算結果の正確性を保証することを前提に、測定および計算過程を簡略化することができる。
【００４５】
本実施例の電力消費量Ｗ０は、同一型の洗濯機に対して研究室でテストを行い、さらに電力消費量Ｗ０の値を洗濯機の制御プログラムに書き込むことができる。
【００４６】
具体的に、前記Ｗ０は、制御モジュールの電力消費量Ｗ０１、表示モジュールの電力消費量Ｗ０２、弁体アセンブリＷ０３、およびポンプ体アセンブリＷ０３を少なくとも含む。
【００４７】
説明する必要があることとして、本実施例の電力消費量Ｗ０は１つの固定値ではなく、複数の固定値である。主に洗濯機は一般的に複数の洗濯プログラムを有するため、異なる洗濯プログラムを選択したとき、電力消費量Ｗ０は対応する値が選択される。電力消費量Ｗ０は主に洗濯機の動作時間によって決まり、動作時間が長いほど、電力消費量Ｗ０は大きくなる。
【００４８】
同じ理由で、モジュールの電力消費量Ｗ０１、表示モジュールの電力消費量Ｗ０２、弁体アセンブリＷ０３、およびポンプ体アセンブリＷ０３も、それぞれ複数組有する。これらも主に洗濯機の動作時間によって決まり、動作時間が長いほど、その値も大きくなる。
【００４９】
他に、既存の洗濯機について、洗濯機の洗濯プログラムは固定の数種の方式を含む。したがって、前記電力消費量Ｗ０は各洗濯プログラムに特定の１組の値に対応することができ、実際に使用するとき、実際の洗濯プログラムに基づいて、Ｗ０を選択、確定する。
【００５０】
図２に示すように、開示した加熱機能を有する洗濯機の電力消費量に対する監視測定方法は、
洗濯機が動作を開始することと；
洗濯機が加熱管の動作時間に基づいて、加熱管の電力消費量を計算することと；
洗濯機がモータの動作時間に基づいて、モータの電力消費量を計算することと；
洗濯機が加熱管の電力消費量、モータの電力消費量、およびその他モジュールの電力消費量を足して、洗濯機の電力消費量を算出することと；を含む。
【００５１】
本実施例は、前記洗濯機の電力消費量に対する監視測定方法を採用した洗濯機を同時に提供している。前記洗濯機はモータ、その他電子部品、および計時モジュールを含み、前記計時モジュールはモータの動作時間を記録する。洗濯機は計時モジュールが記録した時間を取得し、公式Ｗ＝Ｗモータ＋Ｗ０に基づいて、洗濯機の電力消費量を計算する。
式中、Ｗモータ＝ｋ×Ｐ１×ｔ１、ｋは修正係数、ｋ∝ｍ、Ｐ１はモータの定格出力であり；Ｗ０は洗濯機の電子部品の所定値である。
【００５２】
本実施例の洗濯機は電力消費量に対する監視測定方法を採用し、コストが増加しない面から考慮し、相応する計算方法を主として、洗濯機の動作過程における動作装置の電力消費量を分析し、洗濯機特有の洗濯工程に基づいて、洗濯機の電力消費量を計算する。実験、検証に基づくと、洗濯機の電力消費量に対する計算結果は、電気量測定装置で測定したデータと基本的に一致する。最終的にコストが上昇しない前提で、洗濯機の電力消費量の正確な測定を実現している。
【００５３】
本実施例は、前記洗濯機を有する洗濯機システムも提供している。前記洗濯機は、クラウドプラットフォームサーバを介してインテリジェント端末と通信接続する。図１に示すように、
洗濯機が洗濯プログラムを実行し、洗濯の取水時間および／または洗濯の動作時間に基づいて、当該回の洗濯の水消費量および／または電力消費量を算出する。
洗濯機が、算出した水消費量および／または電力消費量をクラウドプラットフォームサーバに送信する。
クラウドプラットフォームサーバが、水消費量および／または電力消費量を相応するインテリジェント端末にプッシュする。
【００５４】
本実施例の洗濯機システムは、選択したプログラムの動作終了後、当該回の動作で生じた電力消費量を計算し、ネットワークを介して電力消費量をクラウドプラットフォームサーバに伝達し、クラウドプラットフォームサーバはデータをモバイル端末にさらに伝達する。モバイル端末の表示インタフェースはデータをユーザに示すか、または音声などの方式でユーザに伝達する。
【００５５】
本実施例の洗濯機システムは、一方ではクラウドプラットフォームサーバがユーザの電力消費量情報を伝送するのに便利であり、もう一方では情報の保存に便利である。他に、クラウドプラットフォームサーバはユーザの実際の使用状況に基づいて、関連する節電方法をプッシュし、ユーザが参考にできるようにする。
【００５６】
本実施例の洗濯機システムは、算出した電力消費量をユーザに示し、ユーザは電力消費量情報を直接見て取得する。良好な洗濯機の使用習慣を養い、電気エネルギーを節約するのに便利である。
【００５７】
他に、さらに説明する必要があることとして、本実施例の洗濯機本機側に電力消費量を表示することができる表示モジュールも有する。洗濯機は、電力消費量を算出すると表示モジュールに直接表示することができる。
【００５８】
さらに、洗濯プログラムの各洗濯段階で電力消費量の計算が完了すると、表示モジュールに表示することができ、ユーザが各洗濯段階の電力消費量を確認するのに便利である。
【００５９】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、均等変化した等価実施例に変更または修飾することができるが、いずれも本発明の技術案の内容を逸脱しない。本発明の技術的本質に基づいて、以上の実施例に対して行う簡単な修正、均等変化および修飾は、いずれも本発明案の範囲内に属する。
【図１】
2019503807.tif 000003
【図２】
2019503807.tif 000004
【国際調査報告】
2019503807.tif 000005
2019503807.tif 000006
2019503807.tif 000007
2019503807.tif 000008